(57)【要約】【課題】  表示するアイコン・文字に視覚的な効果が得られる画像処理装置を提供することを目的とする。【解決手段】  カラー液晶パネルなどの表示装置の外周に操作部材を備えている画像処理装置であって、操作部材を操作したときには、撮影条件を表すアイコンを表示する。アイコンを表示する際には、操作部材の近傍に、縮小したアイコンを所定時間表示し、その後、本来の位置に本来の大きさでアイコンを表示することによって、操作部材からアイコンが出てくるような視覚的な効果を出す。一方、アイコンを非表示にするときには、表示するときと逆の動作をすることによって、操作部材にアイコンが隠れるような視覚的な効果を出す。なお、アイコンはベクトル図形であることを特徴とする。【選択図】        図１
2006086840.tif 000002
【特許請求の範囲】
【請求項１】
アイコンを表示する表示手段と、表示手段の外周に撮影条件を変更するための操作部材と、制御手段とを有し、
前記操作部材近傍に、操作部材と関連した撮影条件を表すアイコンを前記表示手段に表示する画像処理装置であって、
前記制御手段は、前記操作部材が操作された際に、前記表示手段にアイコンを表示するときには、操作部材近傍にアイコンを縮小して所定時間表示し、所定時間経過後に、最終的に表示する位置に、最終的な大きさで関連するアイコンを表示することを特徴とする画像処理装置。
【請求項２】
前記制御手段は、操作部材と関連するアイコンを消去するときに、消去するアイコンを操作部材近傍に縮小して所定時間表示し、所定時間経過後に、関連するアイコンを消去することを特徴とする請求項１に記載の画像処理装置。
【請求項３】
前記制御手段は、操作部材と関連するアイコンを変更するときに、変更後のアイコンを操作部材近傍に縮小して所定時間表示し、所定時間経過後に、関連するアイコンを消去することを特徴とする請求項１に記載の画像処理装置。
【請求項４】
複数の操作部材を有し、
前記制御手段は、前記操作部材が操作された際に、前記表示手段にアイコンを表示するときには、複数の操作部材近傍に複数のアイコンを一度に縮小して所定時間表示し、所定時間経過後に、最終的に表示する位置に、最終的な大きさで関連する複数のアイコンを一度に表示することを特徴とする請求項１に記載の画像処理装置。
【請求項５】
複数の操作部材を有し、
前記制御手段は、操作部材と関連するアイコンを消去するときに、消去するアイコンを複数の操作部材近傍に一度に縮小して所定時間表示し、所定時間経過後に、関連する複数のアイコンを一度に消去することを特徴とする請求項２に記載の画像処理装置。
【請求項６】
前記制御手段は、操作部材近傍に最終的に表示するアイコンの一部を表示することを特徴とする請求項１〜５のいずれかに記載の画像処理装置。
【請求項７】
前記制御手段は、アイコンを表示する際に、最初に縮小アイコンを表示してから、最終的に表示するアイコンを表示するまでの間に、順次複数の縮小アイコンを表示することを特徴とする請求項１〜６のいずれかに記載の画像処理装置。
【請求項８】
前記制御手段は、アイコンを消去する際に、アイコンを非表示にするまでの間に、複数回、縮小アイコンを表示することを特徴とする請求項１〜７のいずれかに記載の画像処理装置。
【請求項９】
前記制御手段は、アイコンを変更する際に、最初に変更後の縮小アイコンを表示してから、最終的に表示する変更後のアイコンを表示するまでの間に、複数回、変更後の縮小アイコンを表示することを特徴とする請求項１〜６のいずれかに記載の画像処理装置。
【請求項１０】
前記制御手段は、操作部材近傍に最終的に表示するアイコンの一部を、複数回、表示することを特徴とする請求項１〜９のいずれかに記載の画像処理装置。
【請求項１１】
前記制御手段は、アイコンの変わりに文字を表示することを特徴とする請求項１〜１０のいずれかに記載の画像処理装置。
【請求項１２】
操作部材として、感圧センサーを用いることを特徴とする請求項１〜１１のいずれかに記載の画像処理装置。
【請求項１３】
アイコン・文字はベクトル図形であることを特徴とする請求項１〜１２のいずれかに記載の画像処理装置。
【発明の詳細な説明】
【技術分野】
【０００１】
本発明は、アイコンを表示する画像処理装置に関するものである。
【背景技術】
【０００２】
従来、デジタルカメラ等の画像処理装置では、カラー液晶パネル等の表示装置の外周に、操作部材を設けているものがある。また、カラー液晶パネル上の、操作部材に近い位置に操作部材に関連したアイコンを表示するものが市販されている。
【０００３】
これらのデジタルカメラによれば、操作部材を押下した際に、カラー液晶パネル上に操作部材近くのアイコンや文字が表示・変更されることによって、デジタルカメラの使用者が、どの操作部材を押下すれば、どの撮影条件が変更になるのかを直感的に理解することが可能である。
【特許文献１】特開平１０−１６１８３７号公報
【発明の開示】
【発明が解決しようとする課題】
【０００４】
このような従来のデジタルカメラ等の画像処理装置においては、表示するアイコンや文字に視覚的な効果を出したいという要望があった。
【０００５】
本発明は、上記要望を考慮してなされたものであり、表示するアイコンや文字に視覚的な効果を出す画像処理装置を提供することを目的とする。
【課題を解決するための手段】
【０００６】
この発明は下記の構成を備えることにより上記課題を解決できるものである。
【０００７】
本発明に係る画像処理装置に於いては、第１に、アイコンを表示する表示手段と、表示手段の外周に撮影条件を変更するための操作部材と、制御手段とを有し、前記操作部材近傍に、操作部材と関連した撮影条件を表すアイコンを前記表示手段に表示する画像処理装置であって、前記制御手段は、前記操作部材が操作された際に、前記表示手段にアイコンを表示するときには、操作部材近傍にアイコンを縮小して所定時間表示し、所定時間経過後に、最終的に表示する位置に、最終的な大きさで関連するアイコンを表示することを特徴とする。
【０００８】
第２に、前記制御手段は、操作部材と関連するアイコンを消去するときに、消去するアイコンを操作部材近傍に縮小して所定時間表示し、所定時間経過後に、関連するアイコンを消去することを特徴とする。
【０００９】
第３に、前記制御手段は、操作部材と関連するアイコンを変更するときに、変更後のアイコンを操作部材近傍に縮小して所定時間表示し、所定時間経過後に、関連するアイコンを消去することを特徴とする。
【００１０】
第４に、複数の操作部材を有し、前記制御手段は、前記操作部材が操作された際に、前記表示手段にアイコンを表示するときには、複数の操作部材近傍に複数のアイコンを一度に縮小して所定時間表示し、所定時間経過後に、最終的に表示する位置に、最終的な大きさで関連する複数のアイコンを一度に表示することを特徴とする。
【００１１】
第５に、複数の操作部材を有し、前記制御手段は、操作部材と関連するアイコンを消去するときに、消去するアイコンを複数の操作部材近傍に一度に縮小して所定時間表示し、所定時間経過後に、関連する複数のアイコンを一度に消去することを特徴とする。
【００１２】
第６に、前記制御手段は、操作部材近傍に最終的に表示するアイコンの一部を表示することを特徴とする。
【００１３】
第７に、前記制御手段は、アイコンを表示する際に、操作部材近傍に最も近い位置に表示する縮小アイコンを表示してから、最終的に表示するアイコンを表示するまでの間に、順次複数の縮小アイコンを表示するとともに、時間の経過とともに、徐々に操作部材から遠くに徐々に大きなアイコンを表示していくことを特徴とする。
【００１４】
第８に、前記制御手段は、アイコンを消去する際に、アイコンを非表示にするまでの間に、複数回、縮小アイコンを表示することを特徴とする。
【００１５】
第９に、前記制御手段は、アイコンを変更する際に、操作部材近傍に最も近い位置に表示する変更後の縮小アイコンを表示してから、最終的に表示する変更後のアイコンを表示するまでの間に、複数回、変更後の縮小アイコンを表示することを特徴とする。
【００１６】
第１０に、前記制御手段は、操作部材近傍に最終的に表示するアイコンの一部を、複数回、表示することを特徴とする。
【００１７】
第１１に、前記制御手段は、アイコンの変わりに文字を表示することを特徴とする。
【００１８】
第１２に、操作部材として、感圧センサーを用いることを特徴とする。
【００１９】
第１３に、アイコン・文字はベクトル図形であることを特徴とする。
【００２０】
上記手段により、操作部材からアイコンが出てくる、操作部材にアイコンが隠れるなどの視覚的な効果が得られる画像処理装置を提供することが可能となる。
【発明の効果】
【００２１】
本発明によれば、操作部材からアイコンが出てくる、操作部材にアイコンが隠れるなどの視覚的な効果が得られる画像処理装置を提供することが可能となる。
【発明を実施するための最良の形態】
【００２２】
以下、図面を参照して本発明の実施例を説明する。
【実施例】
【００２３】
（第１の実施例）
図１は、本発明の実施例の構成を示す図である。
【００２４】
図１において、１００は画像処理装置である。
【００２５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２７】
２０は画像処理回路であり、Ａ／Ｄ変換器１６からのデータ或いはメモリ制御回路２２からのデータに対して所定の画素補間処理や色変換処理を行う。
【００２８】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００３０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００３３】
画像表示部２８を用いて撮像した画像データを逐次表示すれば、電子ファインダ機能を実現することが可能である。
【００３４】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３５】
３０は撮影した静止画像や動画像を格納するためのメモリであり、所定枚数の静止画像や所定時間の動画像を格納するのに十分な記憶量を備えている。
【００３６】
これにより、複数枚の静止画像を連続して撮影する連射撮影やパノラマ撮影の場合にも、高速かつ大量の画像書き込みをメモリ３０に対して行うことが可能となる。
【００３７】
また、メモリ３０はシステム制御回路５０の作業領域としても使用することが可能である。
【００３８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３９】
４０は絞り機能を備えるシャッター１２を制御する露光制御手段であり、フラッシュ４８と連携することによりフラッシュ調光機能も有するものである。
【００４０】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４１】
４８はフラッシュであり、ＡＦ補助光の投光機能、フラッシュ調光機能も有する。
【００４２】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４３】
５０は画像処理装置１００全体を制御するシステム制御回路、５２はシステム制御回路５０の動作用の定数、変数、プログラム等を記憶するメモリである。
【００４４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４５】
また、表示部５４は、その一部の機能が光学ファインダ１０４内に設置されている。
【００４６】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００４７】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００４８】
５６は電気的に消去・記録可能な不揮発性メモリであり、例えばＥＥＰＲＯＭ等が用いられる。
【００４９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５０】
ここで、これらの操作手段の具体的な説明を行う。
【００５１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００５２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５３】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５４】
６６は画像表示ＯＮ／ＯＦＦスイッチで、画像表示部２８のＯＮ／ＯＦＦを設定することが出来る。
【００５５】
この機能により、光学ファインダ１０４を用いて撮影を行う際に、ＴＦＴ  ＬＣＤ等から成る画像表示部への電流供給を遮断することにより、省電力を図ることが可能となる。
【００５６】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００５７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００５８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５９】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６０】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６１】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００６２】
インタフェース及びコネクタとしては、ＰＣＭＣＩＡカードやＣＦ（コンパクトフラッシュ（登録商標））カード等の規格に準拠したものを用いて構成して構わない。
【００６３】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６４】
１０２は、画像処理装置１００のレンズ１０を含む撮像部を覆う事により、撮像部の汚れや破損を防止するバリアである保護手段である。
【００６５】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６６】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６７】
１１２は通信手段１１０により画像処理装置１００を他の機器と接続するコネクタ或いは無線通信の場合はアンテナである。
【００６８】
２００はメモリカードやハードディスク等の記録媒体である。
【００６９】
記録媒体２００は、半導体メモリや磁気ディスク等から構成される記録部２０２、画像処理装置１００とのインタフェース２０４、画像処理装置１００と接続を行うコネクタ２０６を備えている。
【００７０】
２１０はメモリカードやハードディスク等の記録媒体である。
【００７１】
記録媒体２１０は、半導体メモリや磁気ディスク等から構成される記録部２１２、画像処理装置１００とのインタフェース２１４、画像処理装置１００と接続を行うコネクタ２１６を備えている。
【００７２】
図２から図７を参照して、第１の実施例の動作を説明する。
【００７３】
図２は、本実施例の画像処理装置１００のメインループのフローチャートを示す。
【００７４】
画像処理装置１００は、撮影する条件を変更するボタン、撮影条件変更ボタンが押されたかどうかを判定する（Ｓ１０１）。撮影条件変更ボタンには、例えばフラッシュを光らせるかどうかを変更するフラッシュボタンがある。
【００７５】
Ｓ１０１で撮影条件変更ボタンが押されていたならば、ボタン押下時刻を保存する（Ｓ１０２）。ボタン押下時刻としては、Ｓ１０２時の時刻、あるいはＳ１０２時のシステム時間を保存すればよい。
【００７６】
つぎに、システム制御回路５０はアイコンが表示中であるかどうかを表すアイコン表示中フラグがＯＦＦであるかどうかを判定する（Ｓ１０３）。アイコン表示中フラグがＯＦＦであった場合は、アイコン表示処理を行った後に（Ｓ１０４）、アイコン表示中フラグをＯＮにする（Ｓ１０５）。Ｓ１０４アイコン表示処理の詳細な処理は図３を用いて後述する。
【００７７】
一方、Ｓ１０３でアイコン表示中フラグがＯＮであったならばＳ１０６に進む。Ｓ１０６では、撮影条件を変更する。例えば、フラッシュ設定がＯＮのときにフラッシュボタンが押された場合は、フラッシュの設定をＯＮからＯＦＦに変更するなどである。撮影条件を変更したらならば（Ｓ１０６）、アイコン変更処理を行う（Ｓ１０７）。アイコン変更処理（Ｓ１０７）の詳細な処理は図５を用いて後述する。
【００７８】
つぎに、システム制御回路はＳ１０８に進み、アイコン表示中フラグがＯＮであるかどうかを判定する（Ｓ１０８）。アイコン表示中フラグがＯＦＦの場合はＳ１１２に進む。一方、アイコン表示中フラグがＯＮの場合は、Ｓ１０２で保存したボタン押下時の時刻と現在の時刻とを比較して、撮影条件変更ボタンが押下されてから所定時間経過したかどうかを判定する（Ｓ１０９）。所定時間はどのような時間でもよい。例えば６秒などとしてもよい。所定時間経過していない場合はＳ１１２に進む。一方、所定時間経過していた場合は、アイコン消去処理を行い（Ｓ１１０）、アイコン表示中フラグをＯＦＦにする（Ｓ１１１）。アイコン消去処理の詳細な処理は図４を用いて後述する。
【００７９】
システム制御回路５０は、Ｓ１１２で他の操作部材が操作されたかどうかを判定し、他の操作部材が操作された場合は、操作部材に合わせた処理を実行する（Ｓ１１３）。例えば、電源ボタンが押された場合は、シャットダウン処理を行う。例えば、シャッターボタンが押されたときは撮影処理を行う。
【００８０】
図３は、図２のＳ１０４におけるアイコン表示処理の詳細な処理フローである。
【００８１】
システム制御回路５０は、表示するアイコンデータを取得する（Ｓ２０１）。不揮発性メモリ５６に記録されているアイコンデータを、システム制御回路５０動作用のメモリ５２に読み込む。あるいは、システム制御回路５０が起動したときに、あらかじめアイコンデータを不揮発性メモリ５６から、メモリ５２に読み込んでおいてもよい。
【００８２】
つぎに、システム制御回路５０は、操作部材近傍にＳ２０１で取得したアイコンの縮小アイコンを表示する（Ｓ２０２）。例えば、フラッシュボタンが押下されて、フラッシュアイコンを表示する場合は、フラッシュボタンの近傍にフラッシュアイコンを縮小したアイコンを表示する。
【００８３】
システム制御回路５０は、操作部材近傍に縮小アイコンを表示した後（Ｓ２０２）、所定時間待つ（Ｓ２０３）。所定時間は、どのような時間でも構わない。例えば、１００ｍｓｅｃなどでもよい。
【００８４】
所定時間経過後、システム制御回路５０は、操作部材近傍に表示した縮小アイコンを消す（Ｓ２０４）。その後、最終的に表示する位置に最終的に表示する大きさで所望のアイコンを表示する（Ｓ２０５）。例えば、フラッシュボタンが押された場合は、フラッシュアイコンを本来の大きさで、本来の位置に表示する。
【００８５】
アイコンを縮小する方法は、広く知られておりここでは特に説明しない。アイコンをベクトル図形で持つようにしてもよい。ベクトル図形を変倍する方法は、特開平８−１１５４３２号公報など、広く知られている。
【００８６】
図６は、図３の処理において画像表示部２８に表示される画面の一例である。図６では、フラッシュボタンが押されたときの処理の一例を示している。
【００８７】
アイコンが表示されていない状態（図６−（ａ））で、フラッシュボタン７０−１が押されると、フラッシュボタン７０−１近傍に縮小されたフラッシュアイコンを表示する（図６−（ｂ））。所定時間経過後、本来の位置に本来の大きさでフラッシュアイコンを表示する（図６−（ｃ））。
【００８８】
なお、図６ではフラッシュボタン・フラッシュアイコンで説明を行ったが、他のボタン・アイコンでも構わない。例えば、マクロボタン・マクロアイコン、ドライブボタン・ドライブアイコン、測光方式・測光アイコン、などでもよい。
【００８９】
以上の説明から分かるように、アイコンを表示する際には、関連するボタンからアイコンが出てくるような視覚的な効果が得られる。
【００９０】
図４は、図２のＳ１１０におけるアイコン消去処理の詳細な処理フローである。
【００９１】
システム制御回路５０は、現在表示しているアイコンを消す（Ｓ３０１）。つぎに、消去するアイコンのアイコンデータを取得する（Ｓ３０２）。例えば、フラッシュアイコンを消去する場合は、フラッシュアイコンのデータを取得する。システム制御回路５０は、取得したアイコンデータを縮小して、操作部材近傍に表示する（Ｓ３０３）。所定時間待った後（Ｓ３０４）、操作部材近傍に表示しているアイコンを消去する（Ｓ３０５）。
【００９２】
図７は、図４のアイコン消去処理において画像表示部２８に表示される画面の一例である。図７では、フラッシュボタンを消すときの処理の一例を示している。
【００９３】
フラッシュアイコンが表示されている状態（図７−（ａ））から、７０−１フラッシュボタン近傍に縮小したアイコンを表示する（図７−（ｂ））。所定時間経過後、フラッシュボタン近傍に表示した、縮小されたフラッシュアイコンを消去する（図７−（ｃ））。
【００９４】
なお、図７ではフラッシュボタン・フラッシュアイコンで説明を行ったが、他のボタン・アイコンでも構わない。例えば、マクロボタン・マクロアイコン、ドライブボタン・ドライブアイコン、測光方式・測光アイコン、などでもよい。
【００９５】
以上の説明から分かるように、アイコンを消去する際には、関連するボタンにアイコンが隠れるような視覚的な効果が得られる。
【００９６】
図５は、図２のＳ１０７アイコン変更処理の詳細な処理フローである。
【００９７】
システム制御回路５０は、変更するアイコンデータを取得する（Ｓ４０１）。例えば、フラッシュアイコンを表示しているときに、フラッシュボタンが押されたときは、フラッシュ禁止になるとする。このときは、フラッシュ禁止アイコンのアイコンデータを取得する。
【００９８】
つぎに、システム制御回路５０は、取得したアイコンデータを縮小して、操作部材近傍に表示する（Ｓ４０２）。所定時間待った後（Ｓ４０３）、操作部材近傍に表示した縮小アイコンを消去する（Ｓ４０４）。
【００９９】
所定時間経過した後（Ｓ４０３）、変更前に表示されていたアイコンを消去し（Ｓ４０５）、最終的に表示する位置に、Ｓ４０１で取得したアイコンを最終的に表示する大きさで表示する（Ｓ４０６）。
【０１００】
図８は、図５のアイコン変更処理において画像表示部２８に表示される画面の一例である。図８は、フラッシュボタンが押されたことにより、フラッシュの設定が発光から発光禁止になったときの例である。
【０１０１】
フラッシュアイコンが表示されている（図８−（ａ））ときに、７０−１フラッシュボタンが押下されると、操作部材近傍に縮小したフラッシュ禁止アイコンを表示する（図８−（ｂ））。所定時間経過後、縮小したフラッシュ禁止アイコンと、もともと表示されていたフラッシュアイコンを消去し、本来の位置に本来の大きさでフラッシュ禁止アイコンを表示する（図８−（ｃ））。
【０１０２】
以上の説明から分かるように、アイコンを変更する際には、関連するボタンからアイコンが取って代わるような視覚的な効果が得られる。
【０１０３】
（第２の実施例）
第１の実施例では、撮影条件変更ボタンはフラッシュボタン一つとして説明を行ったが、複数の撮影条件変更ボタンを有するようにしても、もちろん問題ない。
【０１０４】
図９は、複数の撮影条件変更ボタンを有する例を説明する図である。撮影条件変更ボタンとしては、フラッシュの設定を変更する７０−１フラッシュボタン、一枚ずつ撮影を行う単写・連続して撮影を行う連写のドライブ設定を変更する７０−２ドライブボタン、近くの被写体を撮影するためのマクロモードを設定する７０−３マクロボタンの３つのボタンを有する。
【０１０５】
アイコンが表示されていない（図９−（ａ））ときに、７０−１フラッシュボタン、７０−２ドライブボタン、７０−３マクロボタンのいずれかのボタンが押されたときは、それぞれのボタンの近傍に縮小したアイコンを表示する（図９−（ｂ））。所定時間経過後、所定の位置に所定の大きさで、それぞれのアイコンを表示する（図９−（ｃ））。
【０１０６】
アイコンを表示中に（図９−（ｃ））、所定時間、どのボタンも押下されなかったときは、表示しているアイコンを消去するとともに、操作部材近傍に縮小したアイコンを表示する（図９−（ｂ））。所定時間経過後、縮小したアイコンを消去する（図９−（ａ））。
【０１０７】
以上説明したように、複数のアイコンが、関連するボタンから飛び出してくる、あるいはボタンに隠れるような視覚的な効果が得られる。
【０１０８】
（第３の実施例）
第１、第２の実施例では、操作部材近傍に縮小したアイコンを表示するものとして説明を行ったが、本来表示するアイコンの一部を、操作部材近傍に表示するようにしても、もちろん問題ない。なお、アイコンデータをベクトル図形で持ってもよい。
【０１０９】
図１０は、操作部材近傍にアイコンの一部のデータを表示する例を説明する図である。アイコンが表示されていない（図１０−（ａ））ときに、７０−１フラッシュボタンが押下されたときは、フラッシュアイコンの一部を操作部材近傍に表示する（図１０−（ｂ））。図１０−（ｂ）の例では、フラッシュアイコンの中央の部分を切り出して表示している。もちろん、中央ではなく、他の部分でも構わない。フラッシュアイコンの一部を操作部材近傍に表示した後（図１０−（ｂ））、所定時間経過すると、本来の位置に本来の大きさでフラッシュアイコンを表示する（図１０−（ｃ））。
【０１１０】
フラッシュアイコン表示中に（図１０−（ｃ））、所定時間、フラッシュボタンが押下されなかった場合は、現在表示中のアイコンを消去するとともに、操作部材近傍にフラッシュアイコンの一部を表示する（図１０−（ｂ））。所定時間経過後、操作部材近傍に表示したアイコンを消去する（図１０−（ａ））。
【０１１１】
図１１は、操作部材近傍にアイコンの一部のデータを表示することにより、表示するアイコンを変更する例を説明する図である。フラッシュアイコンが表示されているときに（図１１−（ａ））、７０−１フラッシュボタンが押下されたときは、フラッシュ設定はフラッシュ禁止になる。同時に、フラッシュアイコンを、フラッシュ禁止アイコンに表示を変更する。
【０１１２】
アイコン変更処理としては、フラッシュアイコンが表示されている状態で（図１１−（ａ））、フラッシュアイコンが押下されたときは、フラッシュボタン近傍にフラッシュ禁止アイコンの一部を表示する（図１１−（ｂ））。図１１−（ｂ）の例では、フラッシュ禁止アイコンの中央の部分を切り出して表示している。もちろん、中央ではなく、他の部分でも構わない。
【０１１３】
フラッシュボタン近傍にフラッシュ禁止アイコンの一部を表示（図１１−（ｂ））してから、所定時間経過後、フラッシュボタン近傍に表示したフラッシュ禁止アイコンの一部を消去するとともに、所定の位置に所定の大きさでフラッシュ禁止アイコンのすべてを表示する（図１１−（ｃ））。
【０１１４】
以上説明したように、ボタンからアイコンが飛び出す、あるいはボタンに隠れるような視覚的な効果が得られる。
【０１１５】
（第４の実施例）
第１、第２、第３の実施例では、操作部材近傍に小さなアイコンを一回だけ表示するものとして説明を行ったが、複数回表示してももちろん構わない。
【０１１６】
図１２は、操作部材近傍に複数回、縮小したアイコンを表示する例を説明する図である。アイコンが表示されていない（図１２−（ａ））ときに、７０−１フラッシュボタンが押下されたときは、縮小したフラッシュアイコンを操作部材近傍に表示する（図１２−（ｂ））。所定時間経過後、操作部材近傍に表示した縮小したフラッシュアイコンを消すとともに、図１２−（ｂ）で表示した縮小アイコンよりも、少し大きな縮小アイコンを、少しだけ操作部材より離れた位置に表示する（図１２−（ｃ））。所定時間経過後に、図１２−（ｃ）で表示したアイコンを消去するとともに、所定の位置に所定の大きさでアイコンを表示する（図１２−（ｄ））。表示するアイコンを徐々に大きく、かつ操作部材から遠くに表示していく。
【０１１７】
アイコンを表示中に（図１２−（ｄ））、所定時間、どのボタンも押下されなかったときは、図１２−（ｃ）、図１２−（ｂ）、と、徐々にアイコンを小さく、かつ操作部材に近い方向にアイコンの表示を変更する。最後に、アイコンを完全に非表示にする（図１２−（ａ））。
【０１１８】
以上説明したように、アイコンが関連するボタンから飛び出してくる、あるいはボタンに隠れるような視覚的な効果が得られる。
【０１１９】
また、フラッシュアイコンからフラッシュ発光アイコンに表示を変更するときにも、同様に複数の異なる縮小アイコンを表示することによって、視覚的な効果を得ることが可能となる。
【０１２０】
（第５の実施例）
第４の実施例では、縮小したアイコンを表示したが、アイコンの一部を表示するように構成しても、もちろん構わない。操作部材押下直後は、アイコンのごく中央の一部だけを表示し、その後、徐々に表示する範囲を大きくしていき、最終的にはすべての領域を表示するように構成しても構わない。
【０１２１】
図１３は、第４の実施例を説明する図である。アイコンを表示するときには、図１３−（ａ）→図１３−（ｂ）→図１３−（ｃ）→図１３−（ｄ）のように、アイコンの表示領域を徐々に広げていくように表示する。
【０１２２】
一方、アイコンを消去する際には逆に、図１３−（ｄ）→図１３−（ｃ）→図１３−（ｂ）→図１３−（ａ）のように、アイコンの表示領域を徐々に狭くしていき、最後には非表示にする。
【０１２３】
（第６の実施例）
第１から第５の実施例では、表示するのはアイコンとして説明を行ったが、文字でもよい。ベクターフォントを用いて文字の拡大縮小を行うよう構成しても、もちろん構わない。
【０１２４】
ベクターフォントについては、広く知られており、ここでは説明しない。
【０１２５】
（第７の実施例）
第１から第６の実施例では、操作部材はボタンとして説明を行ったが、タッチパネル等の感圧センサーの一部領域を押されたときに、所定の撮影条件が変更され、アイコンが表示・変更・消去されるように構成してももちろん構わない。
【図面の簡単な説明】
【０１２６】
【図１】本発明の一実施例の構成ブロック図である。
【図２】本実施例のメインループのフローチャートである。
【図３】本実施例のアイコン表示処理のフローチャートである。
【図４】本実施例のアイコン消去処理のフローチャートである。
【図５】本実施例のアイコン変更処理のフローチャートである。
【図６】本実施例の表示画面の一例を示す図である。
【図７】本実施例の表示画面の一例を示す図である。
【図８】本実施例の表示画面の一例を示す図である。
【図９】本実施例の表示画面の一例を示す図である。
【図１０】本実施例の表示画面の一例を示す図である。
【図１１】本実施例の表示画面の一例を示す図である。
【図１２】本実施例の表示画面の一例を示す図である。
【図１３】本実施例の表示画面の一例を示す図である。
【符号の説明】
【０１２７】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６３  シャッタースイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
７０−１  フラッシュボタン
７０−２  ドライブボタン
７０−３  マクロボタン
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2006086840.tif 000003
【図２】
2006086840.tif 000004
【図３】
2006086840.tif 000005
【図４】
2006086840.tif 000006
【図５】
2006086840.tif 000007
【図６】
2006086840.tif 000008
【図７】
2006086840.tif 000009
【図８】
2006086840.tif 000010
【図９】
2006086840.tif 000011
【図１０】
2006086840.tif 000012
【図１１】
2006086840.tif 000013
【図１２】
2006086840.tif 000014
【図１３】
2006086840.tif 000015